(57)【要約】【課題】熱のほとんどを作用端で放出させることができ、操作性が良く、安全性が高い熱波マッサージ器を提供すること。【解決手段】内部チャンバ１１を備え、頂部に内部チャンバ１１へ通じる開口が設けられ、底部に下盤１００が形成された円頭状本体１と、下盤１００の下方に結合され、複数の球殻状ヘッド２１が環状に分布されて形成され、内部チャンバ１１に通じる内部空洞２１０が形成された作用端２と、円頭状本体１の外表に被着された断熱カバー３と、開口の封鎖に用いられるキャップ４とを含み、手に握って操作し、内部チャンバ１１及び内部空洞２１０に蓄熱物５０を充填可能であり、断熱カバー３の断熱作用により指向性をもって熱を作用端２で放出させる。【選択図】図３
0003190164.tif 000002
【実用新案登録請求の範囲】
【請求項１】
内部に防水性の内部チャンバを備え、頂部に前記内部チャンバに通じる開口が設けられ、底部に下盤が形成された中空の円頭状本体と、
前記下盤下方に結合され、表面が平滑であり、材質が熱伝導性を備え、複数のマッサージ点として圧迫に供される複数の球殻状ヘッドが前記下盤の辺縁に環状に分布されて形成され、各球殻状ヘッドに下向きにラウンドヘッド部が設けられ、その内部に前記円頭状本体の内部チャンバに通じる内部空洞が形成された作用端と、
前記円頭状本体の外表に密着して被着され、前記円頭状本体の緯方向中線を下方向に超える下開口と、頂部に設けられた直径が前記開口より大きいカバー開口を備え、前記カバー開口の中心が前記開口と重なる断熱カバーと、
前記開口の封鎖に用いられ、弾性的に変形可能なキャップと、
を含み、手に握って操作し、前記内部チャンバ及び内部空洞に蓄熱物を充填可能であり、指向性をもって熱を前記作用端で放出させることを特徴とする、熱波マッサージ器。
【請求項２】
前記断熱カバーが弾性を備え、内側に向かう締め付け力を有し、前記円頭状本体に対して着脱可能であることを特徴とする、請求項１に記載の熱波マッサージ器。
【請求項３】
前記断熱カバーの表面が皮膚に対して親和性を備えていることを特徴とする、請求項１に記載の熱波マッサージ器。
【請求項４】
前記作用端が前記円頭状本体と一体成型されて成ることを特徴とする、請求項１に記載の熱波マッサージ器。
【請求項５】
前記内部チャンバが前記キャップにより封鎖され、内部の空間に鉱物材料から形成された吸熱及び放熱効果を有する粒状の蓄熱物が充填されることを特徴とする、請求項１に記載の熱波マッサージ器。
【請求項６】
前記円頭状本体が可塑化ポリマーを成型して成ることを特徴とする、請求項１に記載の熱波マッサージ器。
【請求項７】
前記円頭状本体がセラミック材料から形成されたことを特徴とする、請求項１に記載の熱波マッサージ器。
【請求項８】
前記円頭状本体の緯方向中線の位置に環状に凹陥した環状溝が設けられ、前記断熱カバーに環状リブが設けられ、前記環状溝と環状リブが嵌合されたことを特徴とする、請求項１に記載の熱波マッサージ器。
【請求項９】
前記球殻状ヘッドのラウンドヘッド部が環状に密集した状態で相互に緊密に分布されて、前記作用端に環状スクレイパが形成されたことを特徴とする、請求項１に記載の熱波マッサージ器。
【請求項１０】
前記作用端が少なくとも表面にアニオン放射材料を備えたことを特徴とする、請求項１に記載の熱波マッサージ器。
【請求項１１】
前記作用端が少なくとも表面に遠赤外線波長を発する変換材料を備えたことを特徴とする、請求項１に記載の熱波マッサージ器。
【考案の詳細な説明】
【技術分野】
【０００１】
本考案は、握って操作するとき施術方向が制限を受けず、内部に積載した熱転嫁物が指向性のある熱を作用端で放出させる、熱波マッサージ器に関する。
【背景技術】
【０００２】
人体の皮膚は、気血が滞った場合、マッサージや推拿を通じて毛細血管を活性化させ、血液循環を加速して緩和することができ、さらには好ましい理療効果を得ることもできる。推拿の過程では、熱輻射波を皮膚内部に導入すると、効果的に細胞を活性化させ、血路を速やかに通じさせることができるとされる。
マッサージは他者が手で押したり、多様な機械・電気器材を補助として利用したりすることができる。手軽にいつでも補助として使用できるようにするため、マッサージ棒やマッサージボールを補助として利用したマッサージが行われるが、これらの手に握って使用するツールに熱波を導入する作用があれば、マッサージによる理療効果をさらに増すことができる。
【０００３】
従来、温熱を利用してマッサージ効果を高める装置が種々提案されている。
例えば、特許文献１には、カップ状の本体内部に恒温加熱器が設置され、その発生する熱波がスクレイパ開口から上に向かって放射され、熱で皮膚内部の血管を活性化する「リハビリテーション用熱波スクレイパ（Ｓｃｒａｐｅｒ  ｗｉｔｈ  ｈｅａｔ  ｗａｖｅｓ  ｆｏｒ  ｒｅｈａｂｉｌｉｔａｔｉｏｎ  ｕｓｅ）」が開示されている。
また、特許文献２に記載の「櫛状スクレイパ（Ｐｅｃｔｉｎａｔｅ  ｓｃｒａｐｉｎｇ  ａｎｄ  ｌｏｏｓｅｎｉｎｇ  ｄｅｖｉｃｅ  ｆｏｒ  ａｃｕｔｅ  ｄｉｓｅａｓｅ）」は、スクレイパ開口位置に櫛状の歯が設けられ、内部には同様に電熱素子が設置され、その発生する熱が開口方向に伝達されるようになっている。
特許文献３に記載された「温熱マッサージ器（Ｔｅｐｉｄ  ｍａｓｓａｇｅｒ）」は、押圧可能なセラミックヘッド内部に電熱加熱構造が設けられ、設置された加熱片が発生する熱が拡散板からマッサージを施すセラミックヘッドへと伝えられる。
これらの熱源はいずれも熱電変換作用によって発生され、熱輻射波を発射して人体の皮膚に作用させることを共通の目的としているが、いずれも電源コードの接続が必要である。
【０００４】
より最近では、特許文献４に記載された「セラミックマッサージボール（Ｃｅｒａｍｉｃ  ｍａｓｓａｇｅ  ｂａｌｌ）」がある。これはセラミックの本体内部に熱水を収容できる収容空間が設けられ、本体の構造は手で握るために用いる平滑な第１表面と、反対の第２表面を備え、第２表面上に複数の突起したマッサージ突起と、同じ第２表面のマッサージ突起が分布した中心に熱水を注入するための開口が設けられ、前記開口が栓で塞がれ、内部の熱水の熱がセラミック本体を経由して外部に向かい立体的に放射されるものである。
【０００５】
この装置は、前記開口が突起したマッサージ突起と同一方向に設けられており、マッサージ操作の際、前記マッサージ突起が常態的に下向きに皮膚表面に向けられるため、前記開口の栓がしっかりと密閉されていないと、内部の熱水が漏れ出て滴り落ち、皮膚にやけどを引き起こす可能性がある。また、前記第１表面は平滑状であり、その目的は比較的大きい施術面で大面積の皮膚に施術できるようにするとともに、前記第１表面は施術者が手で握るため、内部に入れられた熱水が第１表面の伝達により直接施術者の手のひらに導かれるため、この上部(第１表面)で熱が無駄に消耗されてしまい、マッサージ突起で放出される熱エネルギーが半減してしまう。さらに、入れられた熱水が高温の場合、第１表面が大面積で施術者の手に接触して熱を放出するため、長時間握っていると、施術者の手のひらにやけどを引き起こす可能性がある。
【先行技術文献】
【特許文献】
【０００６】
【特許文献１】台湾特許出願第０９２２０１８４０号明細書
【特許文献２】台湾特許出願第０９５２０９８０９号明細書
【特許文献３】台湾特許出願第０９８２０９９９４号明細書
【特許文献４】台湾特許出願第１０１２１６６３６号明細書
【考案の概要】
【考案が解決しようとする課題】
【０００７】
本考案が解決しようとする課題は、熱のほとんどを作用端で放出させることができ、操作性が良く、安全性が高い熱波マッサージ器を提供することにある。
【課題を解決するための手段】
【０００８】
本考案の熱波マッサージ器は、内部に防水性の内部チャンバを備え、頂部に前記内部チャンバに通じる開口が設けられ、底部に下盤が形成された中空の円頭状本体と、前記下盤下方に結合され、表面が平滑であり、材質が熱伝導性を備え、複数のマッサージ点として圧迫に供される一組の球殻状ヘッドが前記下盤の辺縁に環状に分布されて形成され、各球殻状ヘッドに下向きにラウンドヘッド部が設けられ、その内部に前記円頭状本体の内部チャンバに通じる内部空洞が形成された作用端と、前記円頭状本体の外表に密着して被着され、前記円頭状本体の緯方向中線を下方向に超える下開口と、頂部に設けられた直径が前記開口より大きいカバー開口を備え、前記カバー開口の中心が前記開口と重なる断熱カバーと、前記開口の封鎖に用いられ、弾性的に変形可能なキャップとを含み、手に握って操作し、前記内部チャンバ及び内部空洞に蓄熱物を充填可能であり、指向性をもって熱を前記作用端で放出させる。
【０００９】
以下の構成を採用しても良い。
前記断熱カバーが弾性を備え、内側に向かう締め付け力を有し、前記円頭状本体に対して着脱可能である構成。
前記断熱カバーの表面が皮膚に対して親和性を備えている構成。
前記作用端が前記円頭状本体と一体成型されて成る構成。
前記内部チャンバが前記キャップにより封鎖され、内部の空間に鉱物材料から形成された吸熱及び放熱効果を有する粒状の蓄熱物が充填される構成。
【００１０】
前記円頭状本体が可塑化ポリマーを成型して成る構成。
前記円頭状本体がセラミック材料から形成された構成。
前記円頭状本体の緯方向中線の位置に環状に凹陥した環状溝が設けられ、前記断熱カバーに環状リブが設けられ、前記環状溝と環状リブが嵌合された構成。
前記球殻状ヘッドのラウンドヘッド部が環状に密集した状態で相互に緊密に分布されて、前記作用端に環状スクレイパが形成された構成。
前記作用端が少なくとも表面にアニオン放射材料を備えた構成。
前記作用端が少なくとも表面に遠赤外線波長を発する変換材料を備えた構成
【考案の効果】
【００１１】
本考案によれば、円頭状の本体を握って操作するときに施術方向が制限を受けず、断熱カバーの断熱作用により、円頭状本体の内部チャンバに込められた熱を指向的にマッサージを行う作用端に向け、装填された蓄熱物の熱をほとんど作用端に使用させることができ、また内部チャンバと外部とを連通する開口が作用端を背にして上方向を向いているため、設置されたキャップの密閉が不十分な場合も、流出する熱水が分散された状態となり、漏れ出た熱水の熱が分散され、滴り落ちる滴の態様を形成することがなく、かつ施術者が手のひらですぐに感知し、患者の皮膚にやけどを生じることがないため、医療関連の紛糾を減少することができる。
【図面の簡単な説明】
【００１２】
【図１】本考案の実施例を示す温熱マッサージ器の分解側面図である。
【図２】本考案の実施例を示す温熱マッサージ器の分解斜視図である。
【図３】本考案の実施例を示す温熱マッサージ器の使用状態における一部破断側面図である。
【図４】本考案の実施例を示す温熱マッサージ器の各種施力方向を表わす側面図である。
【図５】本考案の温熱マッサージ器内部に鉱物粒状蓄熱物を入れた状態における一部破断側面図である。
【図６】本考案の他の実施例を示す温熱マッサージ器の一部破断側面図である。
【図７】本考案のさらに他の実施例を示す温熱マッサージ器の一部破断側面図である。
【考案を実施するための形態】
【００１３】
以下、本考案の実施例を図面に基づいて詳細に説明する。
図１及び図３に示すように、本考案の温熱マッサージ器５は内部に蓄熱物５０が充填され、蓄熱物５０の熱エネルギーが指向性をもって作用端２に伝達され、熱エネルギーの無駄がなく、かつ握りやすく便利であるとともに、やけどの危険を回避でき、操作方向が平面方向に限定されない構造となっている。
【００１４】
本考案の温熱マッサージ器５は、図１〜図３に示すように、円頭状本体１を備え、円頭状本体１の下方に下盤１００が設けられ、下盤１００に作用端２が連結される。円頭状本体１は内部に内部チャンバ１１を備え、頂点に開設された開口１０により内外が連通される。
円頭状本体１は円体状であり、中心に垂直な中心軸を有し、中心軸を中心として円弧状の曲線を旋回させ、囲んで成る外表が曲面の立体的な対称の円体状であり、人が握ってマッサージを実施するとき、施術方向が器材の向きによる制限を受けないようになっている。
【００１５】
作用端２は、複数の球殻状ヘッド２１を円周に沿って配列して成る。
円頭状本体１の上半部外表には弾性を備えて内側に収縮可能な断熱カバー３が被着され、円頭状本体１の外表に緊密に結合される。断熱カバー３は粘着により円頭状本体１の外表に結合させてもよい。断熱カバー３の頂点位置に直径が開口１０より大きく、その中心が開口１０の中心と重なるカバー開口３０が形成される。
キャップ４は弾性体であり、開口１０を塞いで内部チャンバ１１を密閉することができる。
断熱カバー３を円頭状本体１に被着すると（図２参照）、温熱マッサージ器５に掌握端５１が形成され、マッサージ施術者が手で握って使用することができる。また、カバー開口３０の中心が開口１０と重なっているため、容易に直接開口１０の位置に向かってキャップ４の着脱操作をすることができる。
【００１６】
断熱カバー３は直接円頭状本体１の外表に加工して形成するか、貼り合わせて形成するか、着脱可能に取り付けて形成することができる。
また、断熱カバー３の下端の下開口３１の高さは円頭状本体１の緯方向中線Ｌを越えるため、断熱カバー３は下開口３１に向かって口が窄まった形状となり、断熱カバー３は多角度で円頭状本体１を拘束することができ、断熱カバー３と円頭状本体１間が緊密に密着する作用が得られ、この緊密な密着力により、断熱カバー３を被せた円頭状本体１により形成される掌握端５１が施術者の手で操作されるとき、手のひらの施力が直接しっかりと定着された断熱カバー３を介して円頭状本体１に伝達される。
【００１７】
また、円頭状本体１は中心軸を中心として円弧状の曲線を旋回させ、囲んで成る円体であるため、手で握りやすく、かつ対称的な外表の立体形状により、使用時に平面方向の制限を受けない。
さらに、設置されたキャップ４は材質が弾性を備え、開口１０に被着された後、外表に突出せず、手で握っての操作に影響しないことを原則とする。
円頭状本体１下端は下盤１００であり、下盤１００に作用端２が結合され、作用端２は複数の球殻状ヘッド２１を下盤１００の辺縁に環状に分布させて形成される。作用端２の表面には、アニオン放射材料、または遠赤外線変換材料を設け、皮膚細胞分子の活性化を補助してもよい。
【００１８】
図３に示すように、温熱マッサージ器５は円頭状本体１の外表に断熱カバー３を被着して形成され、円頭状本体１の内部には内部チャンバ１１が形成され、内部チャンバ１１の上端がキャップ４により密閉されたり開通されたりするとともに、円頭状本体１の下端は下盤１００であり、下盤１００から下方向に作用端２が結合され、作用端２は複数の球殻状ヘッド２１を環状に配列して下盤１００の辺縁に分布させて成り、球殻状ヘッド２１のラウンドヘッド部２１１が下向きに設けられ、内部に内部空洞２１０が形成され、内部空洞２１０は円頭状本体１の内部チャンバ１１と連通されており、内部チャンバ１１内部に蓄熱物５０を入れると、蓄熱物５０の熱が放射状に発散され、まず円頭状本体１の外表全体に対して発散されるが、蓄熱物５０が内部空洞２１０内にも進入するため、作用端２側でも直接発散され、下盤１００の平面で全面的に熱が発散されるとともに、各球殻状ヘッド２１の外表でも立体的な熱輻射波の発散が形成される。
【００１９】
ラウンドヘッド部２１１の表面は平滑面であり、比較的高い屈折量を有し、内部の熱輻射波がラウンドヘッド部２１１の方向から発散される。ラウンドヘッド部２１１の平滑面において、その熱輻射波を放射する表面はやや小さいものの、平滑な平面のため熱輻射波が透過されやすく、また平滑面の材質は密度が比較的高いため、相対的に熱の伝達効率も高い。
一方、円頭状本体１の外表には断熱カバー３が設けられており、断熱作用が形成され、内部チャンバ１１内部の蓄熱物５０の熱波が速やかに透過されず、蓄熱物５０の熱エネルギーが断熱カバー３に阻まれて、その放出経路が熱平衡作用により作用端２の方向に向くことから、蓄熱物５０の熱を作用端２に指向的に作用させることができる。また円頭状本体１は円頭状であり、外表に断熱カバー３を被着した後掌握端５１が形成され、施術者の手でしっかりと温熱マッサージ器５の掌握端５１を握ることができ、手の施力が断熱カバー３の伝達作用を経由して円頭状本体１に伝えられ、円頭状本体１からさらに作用端２に伝達される。
【００２０】
円頭状本体１は可塑材料で形成することができ、作用端２と円頭状本体１間の結合は物理的に熱伝導が可能な関係であり、作用端２は組み立て式または円頭状本体１と一体成型することができる。円頭状本体１は金属などその他の材質としてもよいが、金属は一般に熱伝導効果が比較的高いため、熱伝導効果が比較的低いが相対して保温性に優れたセラミック材料を採用するのが望ましい。セラミック材料は比較的堅く、また作用端２の外表には釉薬の塗装を実施して、作用端２の外表をより滑らかにすることができ、セラミック材料を採用する場合、内部チャンバ１１の内側表面に防水性の表面塗装をするか、少なくとも作用端２の外表の平滑面に塗装をする必要がある。
【００２１】
図４に示すように、円頭状本体１は例えば中心軸に基づいて曲線を旋回させ、囲んで形成される対称な球状物であり、手のひらに握ることができる体積であるため、断熱カバー３を被着すると掌握端５１が形成され、かつ底部の作用端２もその中心線の周りを環状に囲むように分布されており、施術時に掌握端５１を握ったとき方向的な制限を受けず、一定の場所で左右に旋回させたり、任意の方向に往復移動させたり、あるいは皮膚表面５００の方向に下圧と旋回を行ったりすることができ、施術時に任意の施力方向に操作することができ、このため、温熱マッサージ器５はあらゆる施術技術レベルの使用者の使用に適しており、かつ自分で施術するときも方向の制限を受けない。
【００２２】
図５に示すように、温熱マッサージ器５は円頭状本体１内部に蓄熱物５０を入れることができる内部チャンバ１１が設けられ、その底部に下盤１００によって連結された作用端２が熱輻射波を放射し、内部チャンバ１１はキャップ４によって封鎖されて蓄熱物５０を入れることができる。
蓄熱物５０としては、温水等の液体のほか、キャップ４の水密性がない場合は、鉱物材料を鍛造して形成した鉱物粒状物とすることができる。使用時は、鉱物粒状の蓄熱物５０を電子レンジによる過熱や任意の加熱方法で加熱してあらかじめ熱を吸収させた後、開口１０から内部チャンバ１１内にまとめて入れ、開口１０をキャップ４で封鎖する。この場合、開口１０とキャップ４間の水密性を考慮する必要がなく、粒状の蓄熱物５０が内部チャンバ１１内で熱輻射波の放出を発生し、下盤１００辺縁の球殻状ヘッド２１外表から放出される。前述と同様に円頭状本体１の表面は断熱カバー３の被着によって断熱されるため、粒状の蓄熱物５０からの熱輻射波は指向的に作用端２に導引されて作用する。
【００２３】
断熱カバー３に設けられたカバー開口３０の直径は、原則的にキャップ４の直径より大きくすることができるため、キャップ４を開口１０に被着した後、その高さが断熱カバー３の高さと接近し、手で握る空間への干渉を回避することができる。また断熱カバー３の下開口３１が下方向に円頭状本体１の緯方向中線Ｌを超過するため、半被覆式に被覆され、保温面積が増加されるだけでなく、断熱カバー３と円頭状本体１間がしっかりと被着され、さらに形成された掌握端５１が手で握るための充分な面積を提供することもできる。
断熱カバー３は弾性体とすることができ、手で握ったときの摩擦性を高めると共に、その外表が弾性体であるために皮膚と親和性を持たせることが容易であり、その放出する温度は作用端２の表面より低いものの、顔や目、唇周辺などより敏感な部位の温湿布に利用することができる。つまり、本考案の温熱マッサージ器５は作用端２をマッサージ施術に用いることができるだけでなく、断熱カバー３の温度抑制により、その外表も敏感な皮膚に対する温湿布に利用することができる。
【００２４】
図６は本考案の他の実施例を示す。
断熱カバー３と円頭状本体１間が締め付けによる被着関係にある場合、断熱カバー３のカバー開口３０と円頭状本体１の開口１０を同一中心線に維持するため、及び断熱カバー３と円頭状本体１の外表間が施力によりずれるのを回避するために、円頭状本体１の緯方向中線Ｌの位置に環状の環状溝１２が凹陥状に設けられ、かつ断熱カバー３内側表面の環状溝１２に相対する位置に内側に向かって突出し、環状溝１２に嵌入させることができる環状リブ３２が設けられ、環状リブ３２と環状溝１２とを嵌合することによって断熱カバー３がしっかりと位置決めされ、カバー開口３０と開口１０間の同軸対称関係を維持することができる。
【００２５】
図７は、本考案のさらに他の実施例を示す。
温熱マッサージ器５に設置された作用端２は、複数の球殻状ヘッド２１が環状に配列されたものであるが、球殻状ヘッド２１のラウンドヘッド部２１１を密集させて緊密に結合された状態にした場合、作用端２に環状スクレイパ２２が形成される。環状スクレイパ２２は、隣接するラウンドヘッド部２１１どうしが密集しているため略円周状となり、内部に内環槽２２０が形成され、内環槽２２０と内部チャンバ１１は同様に連通された関係にあるため、円頭状本体１内部の熱が迅速に環状スクレイパ２２に受け渡される。
【００２６】
なお、図示しないが、断熱カバー３の内側表面は、凹凸が分布した構造としてもよい。このようにすると、凹陥した空間が空気で間を隔てる作用を形成し、断熱保温効果を高めることができる。
【００２７】
本考案の温熱マッサージ器５は、中心軸を中心として形成された円頭状本体１の形状が手に握りやすく、また円頭状本体１の外表を被覆した断熱カバー３による断熱作用で、円頭状本体１内部に入れた蓄熱物５０の熱エネルギーを指向的に下方に導引して作用端２に伝達し、作用端２の内部と円頭状本体１の内部チャンバ１１が連通した関係にあるため、作用端２の熱損失が迅速に円頭状本体１の内部から補給される。また、断熱カバー３の外表が手で握りやすくなっており、特に円頭状本体１が硬質材料で構成され、断熱カバー３が弾性体である場合、施術者が容易に握ることができ、弾性体の表面が皮膚に対して親和性を有し、人体の敏感な部位に対する温湿布として使用することができる。内部チャンバ１１内外に通じる開口１０は円頭状本体１の頂点位置に設けられており、封鎖に用いられるキャップ４と開口１０間の密閉がしっかりとできていない場合、水が溢れ出ても滲漏するのみであり、従来品のように水滴状に滴下することがなく、施術者がすぐに気付くため、患者の皮膚にやけどを生じることがなく、効果的に医療上の紛糾を回避することができる。
【００２８】
以上は、本考案の実施例の説明であって、本考案の権利範囲を限定するものではなく、数値の変更や同等の機能を有する部材への置き換えはいずれも本考案の権利範囲に含まれる。
【符号の説明】
【００２９】
１        円頭状本体
１０      開口
１００    下盤
１１      内部チャンバ
１２      環状溝
２        作用端
２１      球殻状ヘッド
２１０    内部空洞
２２      環状スクレイパ
２２０    内環槽
３        断熱カバー
３０      カバー開口
３１      下開口
３２      環状リブ
Ｌ        緯方向中線
４        キャップ
５        温熱マッサージ器
５０      蓄熱物
５１      掌握端
５００    皮膚表面
【図１】
0003190164.tif 000003
【図２】
0003190164.tif 000004
【図３】
0003190164.tif 000005
【図４】
0003190164.tif 000006
【図５】
0003190164.tif 000007
【図６】
0003190164.tif 000008
【図７】
0003190164.tif 000009